(57)【要約】  本発明によれば、ケーブル（１０）がオーディオ信号、具体的には、アナログオーディオ信号を伝送するのに使用される。前記ケーブルは、少なくとも２つの導体（１２．１、１２．２、１２．３、１２．４）と、ケーブル（１０）を第１のデバイスに接続するためのケーブル（１０）の第１の端部上にある第１の接続片と、ケーブル（１０）を第２のデバイスに接続するためのケーブル（１０）の第２の端部上にある第２の接続片と、を備える。導体（１２．２、１２．４）のうちの少なくとも１つは、第１の接続片にも導電的に接続されないし、第２の接続片にも導電的にも接続されない。
2016528679.tif 000002
【特許請求の範囲】
【請求項１】
オーディオ信号、具体的には、アナログオーディオ信号の伝送用のケーブルの使用であって、前記ケーブルが、
ａ）少なくとも２つの導体と、
ｂ）前記ケーブルを第１のデバイスに接続するための前記ケーブルの第１の端部における第１の接続片と、
ｃ）前記ケーブルを第２のデバイスに接続するための前記ケーブルの第２の端部における第２の接続片と、
を備え、
ｄ）前記導体のうちの少なくとも１つが、前記第１の接続片にも導電的に接続されないし、前記第２の接続片にも導電的に接続されない、使用。
【請求項２】
前記ケーブルが、少なくとも３つの導体を備え、前記導体のうちの少なくとも２つが、前記第１の接続片にも導電的に接続されないし、前記第２の接続片にも導電的に接続されないことを特徴とする、請求項１に記載の使用。
【請求項３】
前記ケーブルが、少なくとも４つの導体を有し、前記少なくとも４つの導体のうちの少なくとも２つが、前記第１の接続片と前記第２の接続片との間に２つの接続部を確立し、かつ前記少なくとも４つの導体のうちの少なくとも２つのさらなる導体が、前記第１の接続片にも導電的に接続されないし、前記第２の接続片にも導電的に接続されないことを特徴とする、請求項２に記載の使用。
【請求項４】
前記少なくとも４つの導体が、前記ケーブル内に交差なしで配列されること、および接続部を確立する前記少なくとも２つの導体が、いずれの場合にも、未接続の導体のうちの少なくとも１つによって互いに分離されることを特徴とする、請求項３に記載の使用。
【請求項５】
前記ケーブルが、対称信号伝送用ケーブルであることを特徴とする、請求項２から４のいずれか一項に記載の使用。
【請求項６】
前記ケーブルが、少なくとも２つの信号導体と、少なくとも１つの接地導体と、前記第１の接続片にも導電的に接続されないし、前記第２の接続片にも導電的に接続されない少なくとも３つの導体と、を備えることを特徴とする、請求項５に記載の使用。
【請求項７】
前記導体のすべてが、前記ケーブル内に交差なしで配列されること、および前記少なくとも２つの信号導体と前記接地導体とが、いずれの場合にも、未接続の導体のうちの少なくとも１つによって互いに分離されることを特徴とする、請求項６に記載の使用。
【請求項８】
前記ケーブルが、非導電材料から構成される芯線と、前記芯線に接触する導体と、を備えることを特徴とする、請求項１から７のいずれか一項に記載の使用。
【請求項９】
前記ケーブルが、遮蔽体を備えることを特徴とする、請求項１から８のいずれか一項に記載の使用。
【請求項１０】
前記遮蔽体が、前記少なくとも２つの導体を遮蔽することを特徴とする、請求項９に記載の使用。
【請求項１１】
前記遮蔽体が、少なくとも前記第１の接続片にまたは前記第２の接続片に、導電的に接続されることを特徴とする、請求項９または１０に記載の使用。
【請求項１２】
少なくとも前記第１の接続片または前記第２の接続片が、前記導体のうちの少なくとも１つの上にプレス加工されたプラグを備えることを特徴とする、請求項１から１１のいずれか一項に記載の使用。
【請求項１３】
前記導体のうちの少なくとも１つが、絶縁撚り銅線によって形成されることを特徴とする、請求項１から１２のいずれか一項に記載の使用。
【請求項１４】
前記少なくとも２つの導体のうちの第１の導体が、線として構成され、前記少なくとも２つの導体のうちの第２の導体が、撚り線として構成されることを特徴とする、請求項１から１３のいずれか一項に記載の使用。
【請求項１５】
前記第１の接続片にも導電的に接続されないし、前記第２の接続片にも導電的に接続されない前記導体が、その全長に沿って少なくとも１つの箇所において中断されることを特徴とする、請求項１から１４のいずれか一項に記載の使用。
【請求項１６】
前記少なくとも２つの未接続導体が、それらの全長に沿って異なる箇所において中断されることを特徴とする、請求項２および１５に記載の使用。
【請求項１７】
前記ケーブルが、第１のケーブル構成部品と、第２のケーブル構成部品と、を備え、前記２つのケーブル構成部品が共通の外装によって収容され、前記第１のケーブル構成部品と前記第２のケーブル構成部品とが、各々、少なくとも２つの導体を備え、前記２つの導体のうちの少なくとも１つが、前記第１の接続片にも導電的に接続されないし、前記第２の接続片にも導電的に接続されないことを特徴とする、請求項１から１６のいずれか一項に記載の使用。
【請求項１８】
前記第１のケーブル構成部品と前記第２のケーブル構成部品とが、各々、前記少なくとも２つの導体を遮蔽する専用遮蔽体を備えることを特徴とする、請求項１７に記載の使用。
【請求項１９】
前記第１のケーブル構成部品と前記第２のケーブル構成部品とが、一緒に撚られることを特徴とする、請求項１７または１８に記載の使用。
【請求項２０】
第１の極性が前記第１のケーブル構成部品のみによって伝えられ、かつ第２の極性が前記第２のケーブル構成部品のみによって伝えられるように、前記２つのケーブル構成部品が前記第１の接続片に及び前記第２の接続片に接続されることを特徴とする、請求項１７から１９のいずれか一項に記載の使用。
【請求項２１】
具体的には請求項１から２０のいずれか一項に記載のオーディオ信号の伝送用ケーブルの使用であって、前記ケーブルが、
ａ）少なくとも１つの導体と、
ｂ）前記少なくとも１つの導体を遮蔽する少なくとも１つの遮蔽体と、
ｃ）少なくとも１つの絶縁の接地接続部と、
ｄ）前記ケーブルを第１のデバイスに接続するための前記ケーブルの第１の端部における第１の接続片と、
ｅ）前記ケーブルを第２のデバイスに接続するための前記ケーブルの第２の端部における第２の接続片と、
を備え、
ｆ）前記遮蔽体が、前記２つの接続片のうちの多くても１つに導電的に接続され、
ｇ）前記接地接続部が、前記遮蔽体の外側に引き回される、使用。
【請求項２２】
前記接地接続部が、前記ケーブルの絶縁体内に引き回されることを特徴とする、請求項２１に記載の使用。
【請求項２３】
オーディオ信号、具体的にはアナログオーディオ信号の伝送用のケーブルであって、
ａ）少なくとも２つの導体と、
ｂ）前記ケーブルを第１のデバイスに接続するための前記ケーブルの第１の端部における第１の接続片と、
ｃ）前記ケーブルを第２のデバイスに接続するための前記ケーブルの第２の端部における第２の接続片と、
ｄ）前記少なくとも２つの導体を遮蔽する遮蔽体と、
を備え、
ｅ）前記導体のうちの少なくとも１つが、前記第１の接続片にも導電的に接続されないし、前記第２の接続片にも導電的に接続されない、ケーブル。
【請求項２４】
前記ケーブルが、少なくとも３つの導体を備え、前記導体のうちの少なくとも２つが、前記第１の接続片にも導電的に接続されないし、前記第２の接続片にも導電的に接続されないことを特徴とする、請求項２３に記載のケーブル。
【請求項２５】
前記ケーブルが、少なくとも４つの導体を有し、前記少なくとも４つの導体のうちの少なくとも２つが、前記第１の接続片と前記第２の接続片との間に２つの接続部を確立し、前記少なくとも４つの導体のうちの少なくとも２つのさらなる導体が、前記第１の接続片にも導電的に接続されないし、前記第２の接続片にも導電的に接続されないことを特徴とする、請求項２４に記載のケーブル。
【請求項２６】
前記少なくとも４つの導体が、前記ケーブル内に交差なしで配列されること、および接続部を確立する前記少なくとも２つの導体が、いずれの場合にも、未接続の導体のうちの少なくとも１つによって互いに分離されることを特徴とする、請求項２５に記載のケーブル。
【請求項２７】
前記少なくとも２つの導体が、個別に絶縁されることを特徴とする、請求項２３から２６のいずれか一項に記載のケーブル。
【請求項２８】
前記少なくとも２つの導体のうちの第１の導体が、線として構成され、かつ前記少なくとも２つの導体のうちの第２の導体が、撚り線として構成されることを特徴とする、請求項２３から２７のいずれか一項に記載のケーブル。
【請求項２９】
前記ケーブルが、第１のケーブル構成部品と、第２のケーブル構成部品と、を備え、前記２つのケーブル構成部品が共通の外装によって収容され、前記第１のケーブル構成部品と前記第２のケーブル構成部品とが、各々、少なくとも２つの導体を備え、前記２つの導体のうちの少なくとも１つが、前記第１の接続片にも導電的に接続されないし、前記第２の接続片にも導電的に接続されないことを特徴とする、請求項２３から２８のいずれか一項に記載のケーブル。
【請求項３０】
前記第１のケーブル構成部品と前記第２のケーブル構成部品とが、各々、前記少なくとも２つの導体を遮蔽する専用遮蔽体を備えることを特徴とする、請求項２９に記載のケーブル。
【請求項３１】
前記第１のケーブル構成部品と前記第２のケーブル構成部品とが、一緒に撚られることを特徴とする、請求項２９または３０に記載のケーブル。
【請求項３２】
第１の極性が前記第１のケーブル構成部品のみによって伝えられ、かつ第２の極性が前記第２のケーブル構成部品のみによって伝えられるように、前記２つのケーブル構成部品が前記第１の接続片に及び前記第２の接続片に接続されることを特徴とする、請求項２９から３１のいずれか一項に記載のケーブル。
【発明の詳細な説明】
【技術分野】
【０００１】
本発明は、ケーブルに関し、および、オーディオ信号、具体的には、アナログオーディオ信号の伝送用のこの種のケーブルの使用に関し、ケーブルは、少なくとも２つの導体と、ケーブルを第１のデバイスに接続するためのケーブルの第１の端部における第１の接続片と、ケーブルを第２のデバイスに接続するためのケーブルの第２の端部における第２の接続片とを備える。本発明はさらに、オーディオ信号の伝送用ケーブルの使用に関し、ケーブルは、少なくとも１つの導体と、少なくとも１つの導体を遮蔽する少なくとも１つの遮蔽体と、少なくとも１つの絶縁接地接続部と、ケーブルを第１のデバイスに接続するためのケーブルの第１の端部における第１の接続片と、ケーブルを第２のデバイスに接続するためのケーブルの第２の端部における第２の接続片とを備える。
【背景技術】
【０００２】
オーディオ信号を再生する過程で、例えば、私用または商業用建物、コンサートホールなどで音を発生させる過程で、とりわけ、アナログオーディオ信号が、電気信号を用いて伝送される。再生デバイス（「音源」）と増幅器と、また例えば音に影響するデバイスとを接続する低周波ケーブル（ＬＦケーブル）、および増幅器を、例えば、スピーカに接続するスピーカケーブルが、とりわけ、このために使用される。光導波管の代替として、電気導体を有するさらなるケーブルが、デジタルオーディオ信号を伝送するのに使用される。
【０００３】
オーディオ信号、具体的には、アナログオーディオ信号の伝送用に使用されるケーブルは、特に音質に重要な影響を与える。構造が不適切である、または断面積が小さすぎるケーブルが使用される場合、音質は深刻な悪影響を受ける。
【０００４】
遮蔽体に囲まれた複数の絶縁撚り線を備える遮蔽ケーブルは、通常アナログオーディオ信号を伝送するのに使用される。撚り線は、各々、２つの接続片の接点（例えば、プラグまたはソケット）に導電的に接続される。遮蔽体は接続片のうちの少なくとも一方の接地接点に導電的に接続される。
【０００５】
オーディオ信号の信頼できる伝送を確実にするために複雑な対策を取らなければならず、したがって、この種の構造を有する従来のケーブルを使用するとき、良好な音を発生することができるようにならなければならないことが現在わかっている。
【発明の概要】
【発明が解決しようとする課題】
【０００６】
本発明の課題は、オーディオ信号、具体的には、アナログオーディオ信号の伝送用に、比較的単純な構造を有し、良好な音質を可能にするケーブルを提案することである。
【課題を解決するための手段】
【０００７】
課題の解決策は、請求項１の特徴によって定義される。本発明によれば、導体のうちの少なくとも１つは、第１の接続片にも導電的に接続されないし、第２の接続片にも導電的に接続されない。これは、ケーブルが完全に接続されているときでも、少なくとも１つの導体は、ケーブルに接続された第１のデバイスにも導電的に接続されないし、ケーブル（ダミー導体）に接続された第２のデバイスにも導電的に接続されないということを意味する。
【０００８】
本実施形態の範囲内で、「接続片」という用語は、いずれの場合にも、その端部の一方においてケーブルを有するコネクタ全体を意味すると理解されることが意図されている。コネクタは、単極もしくは多極プラグまたは単極もしくは多極ソケットでもよいが、外部からケーブルの導体との導電接触を行うことを可能にする複数のプラグもしくはソケットまたは他の要素でもよい。ケーブルは、その端部の両方における接続配列および／または設計が異なる接続片を有することができる。最も単純な場合には、接続片は、単純に、スズめっきされたまたは異なる金属被覆が設けられた素線もしくは撚り線端部または線もしくは撚り線端部によって形成することもできる。
【０００９】
本発明による構造および本発明による接点接続により、オーディオ信号、具体的には、アナログオーディオ信号の極めて良好な伝送が、特に、ＬＦケーブルが使用されるとき、またスピーカケーブルが使用されるときも、いずれも、可能となることがわかっている。これは、本発明により構成されたケーブルの導電性断面積よりも相当大きい導電性断面積を有するケーブルとの比較においても同様である。実際にケーブルによってもたらされる導電性断面積が本発明の範囲内で使用されないままであるので、この発見は驚くべきことである。
【００１０】
主に導体の材料の選定に注意が払われる従来の取り組みとは対照的に、本発明は、新規の回路設計を提案する。
【００１１】
ケーブルは、好ましくは、少なくとも３つの導体を備え、導体のうちの少なくとも２つは、第１の接続片にも導電的に接続されないし、第２の接続片にも導電的に接続されない。複数の未接続の導体の存在により、伝送品質の一層の改善がもたらされ得ることがわかっている。
【００１２】
好ましい実施形態によれば、ケーブルは、少なくとも４つの導体を有し、少なくとも４つの導体のうちの少なくとも２つは、第１の接続片と第２の接続片との（例えば、非対称接続の場合、「プラス」と「マイナス」との）間に２つの接続部を確立する。さらに、少なくとも４つの導体のうちの少なくとも２つのさらなる導体は、第１の接続片にも導電的に接続されないし、第２の接続片にも導電的に接続されない。
【００１３】
次に、少なくとも４つの導体は、好ましくは、ケーブル内に交差なしで配列され、接続部を確立する少なくとも２つの導体は、いずれの場合にも、未接続の導体のうちの少なくとも１つによって、互いに分離される。「交差なしで」は、少なくとも４つの導体の相対的配列が、ケーブルの横断面で見たとき、ケーブル長全体にわたって変化しないことを意味する。したがって、導体パック（conductor pack）のねじ状回転（screw-like turning）は可能であるが、相対的配列、すなわち、例えば、事前に指定した回転の方向における導体の順序を変更することは可能でない。接続された導体間の未接続導体の配列が、伝送品質の点で有益であることがわかっている。
【００１４】
少なくとも２つの導体が、有利には、個別に絶縁される。これにより導体がケーブル全体を通して互いに絶縁されることが確実になる。必要ならば、この場合、複数の少なくとも２つの導体の間の接続を、一方または両方の接続片の領域に、またはデバイス上に設けることが可能である。少なくとも２つの導体の別々の絶縁の代わりに、導体は、例えば、絶縁材内に埋め込むこともでき、または導体のうちの一方が全周にわたって絶縁されるが、他方の導体は、絶縁導体に隣接して絶縁なしで組み付けられる。
【００１５】
特定の実施形態において、ケーブルは、対称信号伝送用ケーブルである。オーディオ信号の対称伝送は、例えば、ＸＬＲプラグコネクタを有する少なくとも三芯のケーブルを介して実施される。これにより、信号は、相対的に長い伝送路の場合でも、干渉なしで伝送されることが可能になる。本発明によるケーブルの使用は、具体的には、アナログＬＦケーブルを用いる、オーディオ信号の対称伝送の場合も、伝送品質の点で利点を示すことが現在わかっている。
【００１６】
本発明による対称信号伝送に使用することができるケーブルは、次に、少なくとも２つの信号導体と、少なくとも１つの接地導体と、第１の接続片にも導電的に接続されないし、第２の接続片にも導電的に接続されない少なくとも１つの導体とを備える。２つの信号導体は、信号と、異極性の基準信号とを伝送する。
【００１７】
本発明による対称信号伝送に使用することができるケーブルは、好ましくは、少なくとも２つの信号導体と、少なくとも１つの接地導体と、第１の接続片にも導電的に接続されないし、第２の接続片にも導電的に接続されない少なくとも３つの導体とを備える。２つの信号導体は、信号と、異極性の基準信号とを伝送する。信号導体、接地導体および３つの未接続導体は、有利には、すべて、一緒に撚られ、すなわち、一緒に撚り合わされる。
【００１８】
さらに、導体のすべては、有利には、ケーブル内に交差なしで配列され、少なくとも２つの信号導体および接地導体は、いずれの場合にも、未接続の導体のうちの少なくとも１つによって互いに分離される。
【００１９】
ケーブルは、有利には、非導電材料から構成される芯線と、この芯線に接触する導体とを備える。芯線により、それを囲み、外周に沿って隣接していなくて、中間絶縁によってのみ分離される導体が、ある一定の最小距離を確実に維持するようにする導体の画定した配列が可能になる。芯線は、例えば、プラスチック、例えば、ＰＶＣ、ＰＵもしくはＰＥから、または天然繊維（例えば、羊毛または絹）製の他のものから製作することができる。
【００２０】
芯線は、導電材料、具体的には、ダミー導体、すなわち、ケーブルが完全に接続されているときでも、ケーブルに接続された第１のデバイスにも、ケーブルに接続された第２のデバイスにも導電的に接続されない導体によって形成することもできる。
【００２１】
ケーブルは、有利には、遮蔽体を備える。その結果、外部干渉信号の影響を低減することができる。
【００２２】
本発明によるケーブルの場合、遮蔽体は、具体的には、少なくとも２つの導体を遮蔽する。前記導体は、例えば、少なくとも１つのダミー導体と、少なくとも１つの信号導体とである。
【００２３】
遮蔽体は、好ましくは、少なくとも第１の接続片にまたは第２の接続片に、導電的に接続される。
【００２４】
有利な実施形態において、遮蔽体は、音源端部における、すなわち、音源方向の対応する接続片に導電的に接続されるが、音源からそらされた接続片には導電的に接続されない。
【００２５】
他の実施形態において、遮蔽体は、第１の接続片にも、第２の接続片にも、導電的に接続されない。
【００２６】
少なくとも第１の接続片または第２の接続片は、好ましくは、導体のうちの少なくとも１つの上にプレス加工されるプラグを備える。直接的接触が導体とプラグとの間に生じるので、はんだ付けプラグを用いるよりもプレス加工プラグを用いる方が、伝送品質の点でより良好な結果を達成するできることがわかっている。プラグは、好ましくは、銅から製作され、金めっき、銀めっき、またはロジウムめっきされる。代替として、プラグは、純銀または純金から製作される。
【００２７】
代替として、導体は、例えば、はんだ付け接続によって第１のまたは第２の接続片の対応する接点に接続することもできる。
【００２８】
導体のうちの少なくとも１つは、好ましくは、絶縁撚り銅線によって形成される。導体のすべては、特に好ましくは、絶縁撚り銅線によって形成される。表皮効果のために、交流信号を伝送するのに撚り線を使用すると、全断面積が同じ線を使用するときよりも、大きな効果的な導電性断面積が得られる。さらに、長い耐用年数を有する可撓ケーブルを、撚り線を用いて製作することができる。高品質無酸素銅（ＯＦＣ）を使用するとき、伝送品質を最適化することができる。しかし、有力な意見に反して、これは絶対に必要ではない。本発明による使用の範囲内で、例えば、使用されているように、家庭の電力供給システムにおける通電用のケーブルに市販の銅を使用するときでも非常に良好な伝送値が達成される。
【００２９】
例えば銀などの他の材料を導体に使用することもできる。例として、アルミニウムを、ダミー導体、すなわち、ケーブルが完全に接続されているときでも、ケーブルに接続された第１のデバイスにも、ケーブルに接続された第２のデバイスにも導電的に接続されない導体の導体材料として使用することもできる。
【００３０】
好ましい実施形態において、少なくとも２つの導体のうちの第１の導体は線（wire）として構成され、少なくとも２つの導体のうちの第２の導体は、撚り線として構成される。本発明によるケーブルの音質は、この組合せによってさらに改善できることが、実験によって示されている。
【００３１】
絶縁が直接設けられた導体は、好ましくは、線が使用されるときも使用される。前記導体は容易に処理され（撚り合わされ）得るし、短絡が確実に何も起きないようになり得る。代替として、導体は、例えば、共通の絶縁材内に埋め込まれ、または特別なスペーサによって互いに物理的に分離される。
【００３２】
好ましい実施形態において、第１の接続片にも導電的に接続されないし、第２の接続片にも導電的に接続されない導体は、その全長に沿って少なくとも１つの箇所において中断される。結果として、適用例により、伝送品質の一層の改善を達成できることがわかっている。
【００３３】
少なくとも一度中断される複数の未接続導体を提供することができる。この場合、中断はケーブルの同じ箇所において行わなくてよい。ケーブルの伝送特性は、中断の数、前記中断の長さおよび互いに対する前記中断の配列を選択することによって影響され得る。
【００３４】
ケーブルが、具体的には、信号をスピーカに供給する働きをする、本発明の好ましい実施形態において、ケーブルは、第１のケーブル構成部品と、第２のケーブル構成部品とを備え、その２つのケーブル構成部品が共通の外装によって収容される。この場合、第１のケーブル構成部品と第２のケーブル構成部品とは、各々、少なくとも２つの導体を備え、２つの導体のうちの少なくとも１つが、第１の接続片にも導電的に接続されないし、第２の接続片にも導電的に接続されない。したがって、各ケーブル構成部品は、少なくとも１つのダミー導体を備える。
【００３５】
この場合、第１のケーブル構成部品と、第２のケーブル構成部品とは、各々、有利には、それぞれのケーブル構成部品の少なくとも２つの導体を遮蔽する専用遮蔽体を備える。２つのケーブル構成部品の相互の影響は、結果として最小限に抑えられる。
【００３６】
第１のケーブル構成部品と第２のケーブル構成部品とは、同様に、好ましくは、一緒に撚られる。これは、結果として、具体的には、２つのケーブル構成部品から構築されたケーブルの機械的特性の改善となる。
【００３７】
具体的には、２つのケーブル構成部品は、第１の極性（例えば、実際のオーディオ信号）が第１のケーブル構成部品のみによって伝えられ、第２の極性（例えば、接地）が第２のケーブル構成部品のみによって伝えられるように、第１の接続片に及び第２の接続片に接続される。２つの極性の信号の相互の影響は、結果として、最小限に抑えられる。
【００３８】
ａ）少なくとも１つの導体と、
ｂ）少なくとも１つの導体を遮蔽する少なくとも１つの遮蔽体と、
ｃ）少なくとも１つの絶縁接地接続部と、
ｄ）ケーブルを第１のデバイスに接続するためのケーブルの第１の端部における第１の接続片と、
ｅ）ケーブルを第２のデバイスに接続するためのケーブルの第２の端部における第２の接続片と、を備え、
ｆ）遮蔽体が、２つの接続片のうちの多くても１つに導電的に接続され、
ｇ）接地接続部が、遮蔽体の外側に引き回される、ケーブルを、本発明による使用の範囲内で使用することができるが、それとは無関係に使用することもできる。
【００３９】
したがって、接地接続部は、遮蔽ケーブルの遮蔽体を用いて作られず、むしろ遮蔽体の外側を通る接地接続部を用いて作られる。この構成は、特に、ＬＦデバイスケーブルに適している。信号源が増幅器に接続されるとき、遮蔽体は、好ましくは、信号源に接続されるが、増幅器には接続されない。オーディオ信号の伝送品質は、これらの対策によっても相当に高められ得ることがわかっている。
【００４０】
従来の取り組みとは対照的に、新規のまたは特定の材料が、この場合も導体に選択されず、むしろ、異なる回路設計が使用される。
【００４１】
好ましい実施形態において、接地接続部はケーブルの絶縁体内に引き回される。ケーブルは１個に見えるが、機能的観点からは、実際には２つのケーブル、具体的には、遮蔽信号ケーブルと、前記遮蔽信号ケーブルに並行して通り、信号ケーブルの遮蔽体の外側を通る接地ケーブルとである。組み合わされた絶縁体は、２つのケーブルを特定の距離を置いて取り付け、取り扱いを簡単にするという追加のタスクを有する。
【００４２】
この代替として、接地接続部は、その端部において信号ケーブル（少なくとも１つの導体を備える）と一緒に対応する接続片だけに引き回される完全に別個のケーブルである。
【００４３】
アダプターケーブルを別個の接地接続部に関連して使用することができる。前記アダプターケーブルは、
−  第１のデバイスに接続することができ、ケーブルの第１の接続片を接続することができる第１の中間片と、
−  第２のデバイスに接続することができ、ケーブルの第２の接続片を接続することができる第２の中間片と、
−  第１の中間片の接地接点を第２の中間片の接地接点に接続する絶縁接地接続部と、
を備え、中間片の少なくとも１つが、ケーブルが前記中間片に差し込まれ、中間片が差し込まれるときでも、対応するデバイスとケーブルとの間に接地接続部を確立しないように設計される。
【００４４】
接地接続部は、好ましくは、中間片の１つにおいて中断されるが、実際には、他の中間片において中断される。接地接続部が中断された中間片は、次いで、有利には、信号源から遠隔にあるデバイスに差し込まれる。従来の（場合により、すでに存在する）、具体的には、信号導体としてさらに働く遮蔽ケーブルは、アダプターケーブルと一緒に使用され得る。
【００４５】
本発明のさらに有利な実施形態および特徴の組合せは、以下の詳細な説明および特許請求の範囲のすべてから推測することができる。
【００４６】
図面において、これは例示的な実施形態を説明するのに使用される。
【図面の簡単な説明】
【００４７】
【図１】本発明によるオーディオ信号を伝送するのに適したケーブルの第１の実施形態を示す図である。
【図２】本発明によるオーディオ信号を伝送するのに適したケーブルの第２の実施形態を示す図である。
【図３】本発明によるオーディオ信号を伝送するのに適したケーブルの組合せの第３の実施形態を示す図である。
【図４】本発明によるオーディオ信号を伝送するのに適したケーブルの第４の実施形態を示す図である。
【図５】本発明によるオーディオ信号を伝送するのに適したケーブルの第５の実施形態を示す図である。
【図６】本発明によるオーディオ信号を伝送するのに適したケーブル第６の実施形態を示す図である。
【発明を実施するための形態】
【００４８】
原則として、図全体を通して、同じ部分は同じ参照記号が与えられる。
【００４９】
図１は、本発明によるオーディオ信号を伝送するのに適したケーブルの第１の実施形態の断面を示す。ケーブル１０は、特に、オーディオ信号を非対称的に伝送するのに適している。前記ケーブルは、絶縁プラスチック材料から構成される芯線１１と、芯線を囲む４つの絶縁撚り銅線１２．１、１２．２、１２．３、１２．４とを備える。前記撚り銅線の断面積は、いずれの場合にも６ｍｍ２である。撚り線は芯線とともに撚り合わされる、すなわち、それらは交差なしで芯線の周りをらせん線路に沿って通る。撚り線と芯線とは、適切な金属、例えば、スズめっき銅線から構成される編組として設計された遮蔽体１３によって一緒に囲まれる。代替として、または、さらに、遮蔽体１３は、箔を備えることもできる。ケーブル１０全体は、例えば、ＰＶＣ、ＰＵまたはＰＥなどのプラスチックから構成され、ケーブル外被を形成する適切な絶縁体１４によって外側が囲まれる。
【００５０】
対角線上に互いに対向して位置する２つの撚り銅線１２．１、１２．３のうちの一方は正極に接続され、前記撚り銅線のうちの他方は接続プラグの負極（例えば、シンチプラグ）または正極および負極の別々のプラグ（例えば、「バナナプラグ」）に接続される。同様に、互いに対向して位置し、接続された導体の間に配列された他の撚り銅線１２．２、１２．４は、プラグには接続されず、むしろ、具体的には、絶縁体１４も終端する箇所において終端する。遮蔽体１３は、一方のケーブル端部におけるまたは両方のケーブル端部におけるそれぞれのプラグの接地極に接続される。プラグは、金めっき銅（または何らかの他のやり方で仕上げられた銅）から構成され、絶縁体が剥ぎ取られた撚り銅線１２．１、１２．３上にプレス加工（鍛造）される接点部分と接続部分とを有する。
【００５１】
図２は、本発明によるオーディオ信号を伝送するのに適したケーブルの第２の実施形態の断面を示す。ケーブル２０は、特に、オーディオ信号を対称的に伝送するのに適している。前記ケーブルは、絶縁プラスチック材料から構成される芯線２１と、芯線を囲み、いずれの場合にも断面積が１．５ｍｍ２である７つの絶縁撚り銅線２２．１、２２．２、２２．３、２２．４、２２．５、２２．６、２２．７と、を備える。撚り線は芯線とともに撚り合わされる、すなわち、それらは交差なしで芯線の周りをらせん線路に沿って通る。撚り線と芯線とは、外装２５によって一緒に囲まれ、前記外装は、ひいては、スズめっき銅線から構成される編組として設計された遮蔽体２３によって囲まれる。代替として、または、さらに、遮蔽体２３は、箔を備えることもできる。ケーブル２０全体は、例えば、ＰＶＣ、ＰＵまたはＰＥなどのプラスチックから構成され、ケーブル外被を形成する絶縁体２４によって外側が囲まれる。
【００５２】
３つの撚り銅線２２．１、２２．３および２２．５は、それらのいずれも隣接せず、各々、接続プラグの正極、負極または接地極のいずれか（例えば、ＸＬＲプラグ）に接続され、または３極の別々のプラグ（例えば、「バナナプラグ」）に接続される。接続された導体の間に配列されたさらなる撚り銅線２２．２、２２．４、２２．６、２２．７は、プラグには接続されず、むしろ、具体的には、絶縁体２４も終端する箇所において終端する。遮蔽体２３は、一方のケーブル端部におけるまたは両方のケーブル端部におけるそれぞれのプラグの接地極に接続される。プラグは、金めっき銅（または何らかの他のやり方で仕上げられた銅）から構成され、絶縁体が剥ぎ取られた撚り銅線２２．１、２２．３、２２．５上にプレス加工（鍛造）される接点部分と接続部分とを有する。
【００５３】
図３は、本発明によるオーディオ信号を伝送するのに適したケーブルの組合せの第３の実施形態の断面を示す。組合せは、特に、オーディオ信号を非対称的に伝送するのに適している。前記組合せは、絶縁プラスチック材料から構成される芯線３１を有する信号ケーブル３０と、芯線を囲む４つの絶縁撚り銅線３２．１、３２．２、３２．３、３２．４とを備える。撚り線は芯線とともに撚り合わされ、すなわち、それらは交差なしで芯線の周りをらせん線路に沿って通る。撚り線と芯線とは、スズめっき銅線から構成される編組として設計された遮蔽体３３によって一緒に囲まれる。代替として、または、さらに、遮蔽体３３は、箔を備えることもできる。信号ケーブル３０全体は、例えば、ＰＶＣ、ＰＵまたはＰＥなどのプラスチックから構成され、ケーブル外被を形成する絶縁体３４によって外側が囲まれる。
【００５４】
対角線上に互いに対向して位置する２つの撚り銅線３２．１、３２．３は接続プラグ（例えば、シンチプラグ）の正極に、または正極の別個のプラグ（例えば、「バナナプラグ」）に一緒に接続される。同様に、互いに対向して位置し、接続された導体の間に配列されたさらなる撚り銅線３２．２、３２．４は、プラグには接続されず、むしろ、具体的には、絶縁体３４も終端する箇所において終端する。遮蔽体３３は、一方のケーブル端部におけるそれぞれのプラグの接地極に接続されるが、他方のケーブル端部におけるプラグには接続されない。遮蔽体が接続されたそのケーブル端部は、有利には、信号源端部において差し込まれる。プラグは、金めっき銅から構成され、絶縁体が剥ぎ取られた撚り銅線３２．１、３２．３上にプレス加工（鍛造）される接点部分と接続部分とを有する。
【００５５】
ケーブルの組合せは、さらに、撚り銅線３７と、前記撚り銅線を囲む絶縁体３８とから構築された接地ケーブル３６を有する。撚り銅線３７の断面積は、撚り銅線３２．１、３２．３の断面積の和におよそ対応する。接地ケーブル３６は、信号ケーブル３０とは別個に引き回され、それぞれのプラグの接地極にまたは両方の端部における別々の接地プラグに接続される。
【００５６】
図４は、本発明によるオーディオ信号を伝送するのに適したケーブルの第４の実施形態の断面を示す。ケーブル４０は、特に、オーディオ信号を非対称的に伝送するのに適している。前記ケーブルは、絶縁プラスチック材料から構成される芯線４１と、芯線を囲む４つの絶縁撚り銅線４２．１、４２．２、４２．３、４２．４とを備える。撚り線は芯線とともに撚り合わされ、すなわち、それらは交差なしで芯線の周りをらせん線路に沿って通る。撚り線と芯線とは、スズめっき銅線から構成される編組として設計された遮蔽体４３によって一緒に囲まれる。代替として、または、さらに、遮蔽体４３は、箔を備えることもできる。遮蔽された撚り線４２．１、４２．２、４２．３、４２．４は、例えば、ＰＶＣ、ＰＵまたはＰＥなどのプラスチックから構成され、ケーブル外被を形成する絶縁体４４内に収容される。撚り銅線４２．１、４２．２、４２．３、４２．４の遮蔽体４３の外側に配列される接地導体４７は、絶縁体４４内にさらに収容される。
【００５７】
対角線上に互いに対向して位置する２つの撚り銅線４２．１、４２．３は、接続プラグ（例えば、シンチプラグ）の正極に、または正極の別個のプラグ（例えば、「バナナプラグ」）に一緒に接続される。同様に、互いに対向して位置し、接続された導体の間に配列されたさらなる撚り銅線４２．２、４２．４は、プラグには接続されず、むしろ、具体的には、絶縁体４４も終端する箇所において終端する。遮蔽体４３は、一方のケーブル端部におけるそれぞれのプラグの接地極に接続されるが、他方のケーブル端部におけるプラグには接続されない。遮蔽体が接続されたそのケーブル端部は、有利には、信号源端部において差し込まれる。プラグは、金めっき銅（または何らかの他のやり方で仕上げられた銅）から構成され、絶縁体が剥ぎ取られた撚り銅線４２．１、４２．３上にプレス加工（鍛造）される接点部分と接続部分とを有する。
【００５８】
接地導体４７は、それぞれのプラグの接地極にまたは両方の端部における別々の接地プラグに接続される。
【００５９】
図５は、本発明によるオーディオ信号を伝送するのに適したケーブルの第５の実施形態の断面を示す。前記実施形態は、多くの点で第４の実施形態に対応する。前記ケーブル５０は、特に、オーディオ信号を非対称的に伝送するのにも適している。前記ケーブルは、絶縁プラスチック材料から構成される芯線５１と、芯線を囲む４つの絶縁撚り銅線５２．１、５２．２、５２．３、５２．４とを備える。撚り線は芯線とともに撚り合わされ、すなわち、それらは交差なしで芯線の周りをらせん線路に沿って通る。撚り線と芯線とは、スズめっき銅線から構成される編組として設計された遮蔽体５３によって一緒に囲まれる。代替として、または、さらに、遮蔽体５３は、箔を備えることもできる。遮蔽された撚り線５２．１、５２．２、５２．３、５２．４は、例えば、ＰＶＣ、ＰＵまたはＰＥなどのプラスチックから構成され、ケーブル外被を形成する絶縁体５４内に収容される。撚り銅線５２．１、５２．２、５２．３、５２．４の遮蔽体５３の外側に互いに対向して配列された２つの接地導体５７．１、５７．２は、絶縁体５４内にさらに収容される。
【００６０】
対角線上に互いに対向して位置する２つの撚り銅線５２．１、５２．３は、接続プラグ（例えば、シンチプラグ）の正極に、または正極の別個のプラグ（例えば、「バナナプラグ」）に一緒に接続される。同様に、互いに対向して位置し、接続された導体の間に配列されたさらなる撚り銅線５２．２、５２．４は、プラグには接続されず、むしろ、具体的には、絶縁体５４も終端する箇所において終端する。遮蔽体５３は、一方のケーブル端部におけるそれぞれのプラグの接地極に接続されるが、他方のケーブル端部におけるプラグには接続されない。遮蔽体が接続されたそのケーブル端部は、有利には、信号源端部に差し込まれる。プラグは、金めっき銅（または何らかの他のやり方で仕上げられた銅）から構成され、絶縁体が剥ぎ取られた撚り銅線５２．１、５２．３上にプレス加工（鍛造）される接点部分と接続部分とを有する。
【００６１】
接地導体５７．１、５７．２は、それぞれのプラグの接地極にまたは両方の端部における別々の接地プラグに接続される。
【００６２】
図６は、本発明によるオーディオ信号を伝送するのに適したケーブルの第６の実施形態を示す。ケーブル６０は、スピーカを駆動し、例えば、（出力）増幅器をスピーカに接続するのに特に適している。前記ケーブルは、並行して引き回される２つのケーブル構成部品６０ａ、６０ｂを備える。ケーブル構成部品の各々は、いずれの場合にも断面積が４．０ｍｍ２である（具体的には、０．５〜６．０ｍｍ２の範囲の他の断面積が同様に実現可能である）７つの撚り銅線６２．１ａ、６２．２ａ、６２．３ａ、６２．４ａ、６２．５ａ、６２．６ａ、６２．７ａ、および撚り銅線６２．１ｂ、６２．２ｂ、６２．３ｂ、６２．４ｂ、６２．５ｂ、６２．６ｂ、６２．７ｂを含む。撚り線は外装６５によって囲まれ、前記外装は、ひいては、スズめっき銅線から構成される編組として設計された遮蔽体６３によって囲まれる。代替として、または、さらに、遮蔽体６３は、箔を備えることもできる。各ケーブル構成部品６０ａ、６０ｂは、例えば、ＰＶＣ、ＰＵまたはＰＥなどのプラスチックから構成され、ケーブル構成部品の外被を形成する絶縁体６４ａ、６４ｂによって外側が囲まれる。
【００６３】
２つのケーブル構成部品６０ａ、６０ｂは一緒に撚られ、編み組６６によって一緒に囲まれる。
【００６４】
撚り銅線が直径方向に互いに対向して位置する各ケーブル構成部品６０ａ、６０ｂの２つの撚り銅線６２．２ａ、６２．５ａおよび６２．２ｂ、６２．５ｂは適切なプラグ（例えば、「バナナプラグ」）の正極（ケーブル構成部品６０ａ）にまたは負極（ケーブル構成部品６０ｂ）に一緒に接続される。接続された導体の間に配列された他の撚り銅線６２．１ａ、６２．３ａ、６２．４ａ、６２．６ａ、６２．７ａ、および撚り銅線６２．１ｂ、６２．３ｂ、６２．４ｂ、６２．６ｂ、６２．７ｂは、プラグには接続されず、むしろ、具体的には、絶縁体６４ａ、６４ｂも終端する箇所において終端する。遮蔽体６３は、同様に、プラグには接続されない。プラグは、金めっき銅（または何らかの他のやり方で仕上げられた銅）から構成され、絶縁体が剥ぎ取られた撚り銅線６２．２ａ、６２．５ａおよび６２．２ｂ、６２．５ｂ上にプレス加工（鍛造）される接点部分と接続部分とを有する。
【００６５】
本発明は図示する例示的な実施形態に制限されない。例えば、信号ケーブルから電気的におよび／または物理的に分離された接地導体は、対称信号伝送に使用することもできる。導体の数および前記導体の断面積、また使用される材料は、本発明の範囲内で容易に適用例に、特に、伝送される電流および線路長に合わせることができる。接続片またはプラグへのケーブルの取り付けおよび接点接続は、異なるやり方で、例えば、プレス加工、または鍛造、はんだ付けなどすることによって、同様に、実施することができる。
【００６６】
要するに、本発明は、ケーブルが比較的単純な構造を有し、ケーブルによって、良好な音質が可能になるオーディオ信号、具体的には、アナログオーディオ信号の伝送用ケーブルを提供するということを明言することができる。
【符号の説明】
【００６７】
１０  ケーブル
１１  芯線
１２．１、１２．２、１２．３、１２．４  絶縁撚り銅線、導体
１３  遮蔽体
１４  絶縁体
２０  ケーブル
２１  芯線
２２．１、２２．２、２２．３、２２．４、２２．５、２２．６、２２．７  絶縁撚り銅線
２３  遮蔽体
２４  絶縁体
２５  外装
３０  信号ケーブル
３１  芯線
３２．１、３２．２、３２．３、３２．４  絶縁撚り銅線
３３  遮蔽体
３４  絶縁体
３６  接地ケーブル
３７  撚り銅線
３８  絶縁体
４０  ケーブル
４１  芯線
４２．１、４２．２、４２．３、４２．４  絶縁撚り銅線
４３  遮蔽体
４４  絶縁体
４７  接地導体
５０  ケーブル
５１  芯線
５２．１、５２．２、５２．３、５２．４  絶縁撚り銅線
５３  遮蔽体
５４  絶縁体
５７．２、５７．１  接地導体
６０  ケーブル
６０ａ、６０ｂ  ケーブル構成部品
６２．１ａ、６２．１ｂ、６２．２ａ、６２．２ｂ、６２．３ａ、６２．３ｂ、６２．４ａ、６２．４ｂ、６２．５ａ、６２．５ｂ、６２．６ａ、６２．６ｂ、６２．７ａ、６２．７ｂ  撚り銅線
６３ａ、６３ｂ  遮蔽体
６４ａ、６４ｂ  絶縁体
６５ａ、６５ｂ  外装
６６  編み組
【図１】
2016528679.tif 000003
【図２】
2016528679.tif 000004
【図３】
2016528679.tif 000005
【図４】
2016528679.tif 000006
【図５】
2016528679.tif 000007
【図６】
2016528679.tif 000008
【国際調査報告】
2016528679.tif 000009
2016528679.tif 000010
2016528679.tif 000011
2016528679.tif 000012